(57)【要約】【課題】自撮り撮影を容易にすることが可能な撮像装置を提供すること【解決手段】カメラ１は、回転軸８０の周りに回転可能に本体部１ｃに固定された第１の接続部材８と、液晶モニタ４と第１の接続部材８に固定され、変形可能な可動部材１７と、を有する。可動部材１７が第１の形状を有するときに、液晶モニタ４は、収納位置と展開位置を含む回転軸８０の周りの回転位置に移動可能に可動部材１７に保持される。可動部材１７が第２の形状を有するときに、液晶モニタ４は、回転位置から光軸方向および該光軸方向に直交する方向の少なくとも１つの方向において離れた位置で可動部材１７に保持される。【選択図】図５
2020027178.tif 000002
【特許請求の範囲】
【請求項１】
本体と、
前記本体によって撮像された画像を表示する表示ユニットと、
回転軸の周りに回転可能に前記本体に固定された回転部と、
前記表示ユニット及び前記回転部に固定され、変形可能な保持部と、
を有し、
前記保持部が第１の形状を有するときに、前記表示ユニットは、その表示面が前記本体とは反対側を向いた状態で前記本体の背面部に収納される収納位置と、該収納位置から１８０度、前記回転軸の周りに回転して前記表示面が前記本体の前記背面部とは反対側の前面側を向く展開位置と、を含む前記回転軸の周りの回転位置に移動可能に前記保持部に保持され、
前記保持部が第２の形状を有するときに、前記表示ユニットは、前記回転位置から光軸方向および該光軸方向に直交する方向の少なくとも１つの方向において離れた位置で前記保持部に保持されることを特徴とする撮像装置。
【請求項２】
前記保持部が前記第２の形状を有するときに、前記表示ユニットは、前記表示面が前記本体の前記前面側を向いた状態で前記展開位置よりも前記前面側、かつ、光軸に近い位置にあることを特徴とする請求項１に記載の撮像装置。
【請求項３】
前記保持部は、前記表示ユニットを前記回転部に対して支持する剛性を有する材料から構成されていることを特徴とする請求項１又は２に記載の撮像装置。
【請求項４】
前記回転軸は、光軸に直交することを特徴とする請求項１乃至３のうちいずれか１項に記載の撮像装置。
【請求項５】
前記表示ユニットが前記収納位置と前記展開位置のそれぞれにあるときに前記表示ユニットを係止する係止手段を更に有することを特徴とする請求項１乃至４のうちいずれか１項に記載の撮像装置。
【請求項６】
前記保持部はフレキシブルアームを有することを特徴とする請求項１乃至５のうちいずれか１項に記載の撮像装置。
【請求項７】
前記保持部は、前記表示ユニットを前記本体に対してチルト可能に保持することを特徴とする請求項１乃至６のうちいずれか１項に記載の撮像装置。
【請求項８】
前記本体は、撮影者が該本体を把持するためのグリップ部を有し、
前記回転軸は、光軸に関して、前記グリップ部とは反対側に配置されていることを特徴とする請求項１乃至７のうちいずれか１項に記載の撮像装置。
【請求項９】
前記回転部は、前記本体に回転可能に設けられた軸部と、該軸部に固定された第１の接続部と、を有し、
前記保持部は、前記第１の接続部に一端が固定されたフレキシブルアームを有し、
前記保持部は、前記表示ユニットに前記フレキシブルアームの他端を固定する第２の接続部を更に有することを特徴とする請求項１乃至８のうちいずれか１項に記載の撮像装置。
【請求項１０】
前記本体は、前記第１の接続部が移動する開口を有することを特徴とする請求項９に記載の撮像装置。
【請求項１１】
前記表示ユニットが前記収納位置にあるときに前記フレキシブルアームの一部は前記表示ユニットと前記本体との間に配置されることを特徴とする請求項９又は１０に記載の撮像装置。
【請求項１２】
前記表示ユニットが前記収納位置にあるときに前記第１の接続部と前記第２の接続部の間に前記表示ユニットが配置されることを特徴とする請求項９乃至１１のうちいずれか１項に記載の撮像装置。
【請求項１３】
前記表示ユニットが前記収納位置にあるときに前記フレキシブルアームが弧を形成するように、前記第１の接続部と前記第２の接続部はそれぞれ前記本体を横位置に配置された場合の斜め下方向に延びていることを特徴とする請求項１２に記載の撮像装置。
【請求項１４】
被写体の光学像を形成するレンズユニットが前記本体に着脱可能であることを特徴とする請求項１乃至１３のうちいずれか１項に記載の撮像装置。
【請求項１５】
画像を表示する表示ユニット及び回転軸の周りに回転可能に本体に固定された回転部に固定され、変形可能な保持部であって、
前記保持部が第１の形状を有するときに、前記表示ユニットは、その表示面が前記本体とは反対側を向いた状態で前記本体の背面部に収納される収納位置と、該収納位置から１８０度、前記回転軸の周りに回転して前記表示面が前記本体の前記背面部とは反対側の前面側を向く展開位置と、を含む前記回転軸の周りの回転位置に移動可能に前記保持部に保持され、
前記保持部が第２の形状を有するときに、前記表示ユニットは、前記回転位置から光軸方向および該光軸方向に直交する方向の少なくとも１つの方向において離れた位置で前記保持部に保持されることを特徴とする保持部。
【発明の詳細な説明】
【技術分野】
【０００１】
本発明は、デジタルカメラ等の撮像装置および保持部に係り、特に、液晶モニタ等の表示ユニットを撮像装置本体に対して移動可能に保持する機構に関する。
【背景技術】
【０００２】
特許文献１には、カメラ本体の側面と背面の接線近傍に設けられた回転軸を中心にカメラ本体の側面からカメラ本体の背面まで移動可能なバリアングルな液晶モニタを有する撮像装置が開示されている。これにより、自撮り（写真）撮影時には液晶モニタの表示面を撮影者側に回転させ、撮影者は液晶モニタを見ながら自身の位置、写り方および表情を確認しながら撮影することができる。
【先行技術文献】
【特許文献】
【０００３】
【特許文献１】特開２０１１−１３０１４６号公報
【発明の概要】
【発明が解決しようとする課題】
【０００４】
しかしながら、特許文献１に開示された撮像装置では、複数人が横並びになって自撮り撮影をする際に撮影者が端にいる場合には、撮影者からは撮影レンズが邪魔になって液晶モニタの表示面の一部が見えにくくなり、自撮り撮影が困難になるおそれがある。
【０００５】
そこで、本発明の目的は、自撮り撮影を容易にすることが可能な撮像装置を提供することである。
【課題を解決するための手段】
【０００６】
本発明の一側面としての撮像装置は、本体と、前記本体によって撮像された画像を表示する表示ユニットと、回転軸の周りに回転可能に前記本体に固定された回転部と、前記表示ユニット及び前記回転部に固定され、変形可能な保持部と、を有し、前記保持部が第１の形状を有するときに、前記表示ユニットは、その表示面が前記本体とは反対側を向いた状態で前記本体の背面部に収納される収納位置と、該収納位置から１８０度前記回転軸の周りに回転して前記表示面が前記本体の前記背面部とは反対側の前面側を向く展開位置と、を含む前記回転軸の周りの回転位置に移動可能に前記保持部に保持され、前記保持部が第２の形状を有するときに、前記表示ユニットは、前記回転位置から光軸方向および該光軸方向に直交する方向の少なくとも１つの方向において離れた位置で前記保持部に保持されることを特徴とする。
【発明の効果】
【０００７】
本発明によれば、自撮り撮影を容易にすることが可能な撮像装置を提供することができる。
【図面の簡単な説明】
【０００８】
【図１】本実施形態に係る撮像装置の外観斜視図である。
【図２】本実施形態のカメラシステムのブロック図である。
【図３】本実施形態のカメラシステムの外観斜視図である。
【図４】図３に示す表示ユニットを収納位置から展開する様子を示す外観斜視図である。
【図５】図４（ｂ）に示す展開位置から表示ユニットを前面側に移動させた状態を示す外観斜視図である。
【図６】本実施形態の効果を説明するための模式図である。
【図７】本実施形態に係る第１の接続部材の斜視図である。
【図８】図７に示す第１の接続部材の取り付けを説明する斜視図及び断面図である。
【図９】本実施形態に係るクリック機構の分解斜視図と断面図である。
【図１０】本実施形態に係る第２の接続部材の斜視図である。
【図１１】本実施形態に係る液晶モニタの分解斜視図及び拡大斜視図である。
【図１２】図１に示す表示ユニットをチルトした状態を示す斜視図である。
【発明を実施するための形態】
【０００９】
以下、本発明の好ましい実施例を、添付図面を参照して詳細に説明する。なお、図中で共通する構成要素には同一の参照符号を付す。
【００１０】
図１は、本発明の実施例に係る撮像装置（撮像装置本体、カメラ本体）としてのデジタル一眼レフカメラ（以下、単に「カメラ」と称する）１の外観斜視図であり、図１（ａ）は前面側から見た図、図１（ｂ）は背面側から見た図である。ＸＹＺの直交座標系を図１に示すように設定する。即ち、Ｚ軸を後述する撮影光学系の光軸に合わせ、Ｘ方向をカメラを横位置に配置した場合の水平方向（またはカメラ１の幅方向）、Ｙ軸をＸＺ方向に垂直な方向（カメラを横位置に配置した場合の垂直方向またはカメラ１の高さ方向）に設定する。このとき、カメラ１の＋Ｚ側を前面側（被写体側）、−Ｚ側を背面側と称する。
【００１１】
カメラ１は、撮影者がカメラ１を把持するためのグリップ部１ａを有する。図１に示すように、後述する表示ユニットとしての液晶モニタ４がカメラ１の背面に収納された状態で撮影を行う際には、撮影者は、通常右手でグリップ部１ａを把持する。このような撮影を、本実施形態では、「通常撮影」と呼ぶ場合がある。また、カメラ１を、図１に示すように、横位置に配置した場合の＋Ｙ側を上側、−Ｙ側を下側（底面側）と称する。グリップ部１ａの上部には、カメラの起動や停止を行うための電源スイッチ１１、撮像準備及び撮像開始の信号を生成するスイッチとしてのシャッター釦１３が設けられている。
【００１２】
カメラ１は、被写体の光学像を形成する撮影レンズユニット（交換レンズ、以下、単に「レンズユニット」と称する）３（図３）が本体に着脱可能であるレンズ交換型撮像装置であり、図１は、レンズユニット３が取り外された状態を示している。レンズユニット３は、レンズロック解除ボタン１２を押下することによってカメラ１から取り外しが可能である。カメラ１とレンズユニット３はカメラシステムを構成する。但し、本発明は、レンズ一体型撮像装置にも適用可能である。また、本実施形態の撮像装置は一眼レフカメラであるが、ミラーユニットを有しない所謂ミラーレス（ノンリフレックス）カメラにも適用可能である。また、本発明は、静止画撮影を行うデジタルスチルカメラだけでなく動画撮影を行うデジタルビデオカメラにも適用可能である。
【００１３】
２はレンズマウント部であり、レンズユニット３が着脱可能に装着される。レンズマウント部２のマウント接点２１は、レンズユニット３の不図示のマウント接点と電気的に接続され、レンズユニット３に電力を供給すると共に、カメラ１とレンズユニット３との間で情報や信号を通信する。これにより、カメラ１は、レンズユニット３から各種の情報を取得し、レンズユニット３の動作を制御する。
【００１４】
カメラ１の背面側には、凹形状を有する背面部１ｂが設けられている。表示ユニットである液晶パネル４を除いたカメラ１の部分を本体（本体部１ｃ（図８））と称する。
【００１５】
図２は、カメラシステムのブロック図である。
【００１６】
レンズユニット３は、被写体の光学像（被写体像）を形成する撮像光学系を有する。撮像光学系は、各種のレンズ（例えば、フォーカスレンズ３１、ズームレンズ、手振れ補正レンズ等）や絞り３２を有する。なお、図２では模式的にフォーカスレンズ３１の１枚のみを示している。また、レンズユニット３は、レンズ制御回路３００、ＡＦ駆動回路３０１、絞り駆動回路３０２等の各種の回路を有する。レンズ制御回路３００は、レンズユニット３の各部を制御するレンズ制御手段であり、カメラ１のカメラ制御手段としてのＭＰＵ１００と通信を行い、ＭＰＵ１００によって制御される。ＡＦ駆動回路３０１には、例えば、ステッピングモータ（不図示）が接続され、フォーカスレンズ３１の位置を駆動させることにより、焦点調節を行う。絞り駆動回路３０２には、（電磁駆動）絞り３２が接続され、絞り口径を変化させることで、絞り値の調整を行う。
【００１７】
カメラ１は、液晶モニタ４、ミラーボックス５、ファインダ６、シャッター１０、撮像素子７１、赤外カットフィルタ７２、その他の構成要素や各種回路を有する。
【００１８】
レンズユニット３を通した光束は、ミラーボックス５へ入る。ミラーボックス５には、メインミラー５１とサブミラー５２からなるミラーユニットが設けられている。ミラーユニットはモータ（不図示）に接続され駆動される。ミラー駆動回路１０１によってモータは制御される。この結果、メインミラー５１とサブミラー５２は、図２に示す光路上の位置（ミラーダウン位置）と光路から退避した位置（ミラーアップ位置）に一体的に移動可能に構成される。図２にでは、メインミラー５１は、レンズユニット３を通った光束を反射し、ファインダ６のペンタプリズム６２へと導くと共に、その一部を透過してサブミラー５２に導き、サブミラー５２は透過光を反射し、位相差方式の焦点検出センサユニット５３へと導く。撮像時にはメインミラー５１とサブミラー５２は不図示のミラーアップ位置に移動し、光束を遮らないように光路から退避し、レンズユニット３からの光束は、シャッター１０、略矩形の赤外カットフィルタ７２を介して撮像素子７１に導かれる。
【００１９】
シャッター１０は、例えば、フォーカルプレーンシャッターであり、シャッター駆動回路１０３により、シャッター１０のシャッター幕（不図示）が開閉される。撮影者がファインダ６により被写体を観察している際は、シャッター幕を閉じ、光束を遮る。また、撮像時には、撮影者がシャッター釦１３を押下した時点から、シャッター幕を開き、所望の露光時間に応じて、シャッター幕を閉じることにより、撮像素子７１への露光時間を制御する。撮像素子７１は、ＣＭＯＳ、ＣＣＤ、ＣＩＤセンサ等から構成され、レンズユニット３（撮像光学系）が形成した被写体像を光電変換する。赤外カットフィルタ７２は、撮像素子７１に入射する光束から、不要な赤外光を除去する。
【００２０】
１０９は映像信号処理回路であり、撮像素子７１から得られた電気信号に対して、フィルタ処理やデータ圧縮処理等、画像処理を行う。
【００２１】
背面部１ｂの上部には、ファインダ６が設けられている。ファインダ窓６１を介して、撮影者は撮像領域を観察することができる。ファインダ６は、ファインダ窓６１、ペンタプリズム６２、測光センサ６３及び測光回路６４を有する。ペンタプリズム６２は、メインミラー５１によって反射された光束を反射し、正立正像に変換する。メインミラー５１による反射光の一部は測光センサ６３にも導かれる。測光回路６４は測光センサ６３の出力値を撮像面上の各エリアにおける輝度情報へ換算し、結果をＭＰＵ１００へ送信する。ＭＰＵ１００は得られた輝度情報に基づいて露出値を算出し、露出設定に応じて、電磁駆動絞り３２を駆動させて絞り３２の口径を調整する。
【００２２】
ＭＰＵ１００はカメラ１の動作を制御し、入力情報の処理や各要素に対しての指示や制御を行う。ＭＰＵ１００はＥＦＰＲＯＭ１００ａを有し、時刻計測回路１０８による時刻情報や、各設定情報等を記憶する。ＭＰＵ１００には、ミラー駆動回路１０１、焦点検出回路１０２、シャッター駆動回路１０３、スイッチセンス回路１０４、電源供給回路１０５、バッテリーチェック回路１０６、時刻計測回路１０８、及び映像信号処理回路１０９が接続されている。また、ＭＰＵ１００はマウント接点２１を介してレンズ制御回路３００と通信を行う。焦点検出センサユニット５３の出力値は、焦点検出回路１０２により被写体像信号へと換算され、ＭＰＵ１００へと送信される。ＭＰＵ１００は被写体像信号を基に、位相差検出法により焦点の検出を行う。その後、ＭＰＵ１００は得られた焦点位置に基づき、デフォーカス方向、デフォーカス量を求め、レンズ制御回路３００、ＡＦ駆動回路３０１を介してフォーカスレンズ３１を合焦位置まで駆動させる。
【００２３】
スイッチセンス回路１０４は、電源スイッチ１１やシャッター釦１３等の各操作インタフェースの操作状況を取得し、ＭＰＵ１００へと送信する。１０５は電源供給回路であり、カメラの各要素に対して、電源１０７の電力を分配、供給する。また、電源１０７にはバッテリーチェック回路１０６も接続されており、電源１０７の残量情報等をＭＰＵ１００に伝える。
【００２４】
ファインダ６の下部には、液晶モニタ４（表示ユニット）が収納されている。液晶モニタ４は、本体部１ｃ（の撮像素子７１）によって撮像された画像や各種の情報を表示する。４０１は液晶駆動回路である。液晶駆動回路４０１は、液晶モニタ４の表示制御を行う。液晶モニタ４には、撮影画像、スルー画像、制御情報等を表示することが可能である。撮影画像やスルー画像は、映像信号処理回路１０９によって信号処理され、液晶駆動回路４０１を介して液晶モニタ４へ表示する。
【００２５】
カメラ１は、回転軸８０の周りに回転可能に本体部１ｃに固定された第１の接続部材８（回転部）と、液晶モニタ４と第１の接続部材８に固定され、変形可能な可動部材１７と、を有する。可動部材１７は、第１の接続部材８を介して本体部１ｃに接続され、第２の接続部材９を介して液晶モニタ４に固定される。液晶モニタ４の−Ｚ側には表示部４１が設けられ、撮影時の設定や撮影画像がその表示面に表示される。液晶モニタ４は、グリップ部１ａの逆側面に設けられた第１の接続部材８によって本体部１ｃ（図８）と接続されている。可動部材１７は、第１の接続部材８に固定されているので第１の接続部材８と共に回転軸８０の周りに回転可能であり、液晶モニタ４も可動部材１７と共に回転軸８０の周りに回転可能である。また、可動部材１７は、変形可能であるので第１の接続部材８に対して変位可能である。この結果、液晶モニタ４は第１の接続部材８（従って、本体部１ｃ）に対して移動可能に構成される。
【００２６】
可動部材１７は、２種類の鋼材が巻き合わされて構成された、いわゆるフレキシブルアームとして知られる金属製部材であり、屈曲自在及び保持可能な構成を有する。回転軸８０は、グリップ部１ａの逆側面に設けられ、撮像光学系の光軸３ａと直交する方向（Ｙ方向）に延びる。
【００２７】
図３は、液晶モニタ４の表示面が前記本体とは反対側を向いた状態で液晶モニタ４が背面部１ｂに収納される収納位置（第１の位置、折り畳み位置）におけるカメラシステムの外観斜視図であり、図３（ａ）は前面側から、図３（ｂ）は背面側から見た図である。図３では、可動部材１７は第１の形状を有し、第１の接続部材８の回転角度は０度であるものとする。収納位置では、図３（ｂ）に示すように、液晶モニタ４は背面部１ｂに収納され、その表示面は前記本体とは反対側（外側）を向いている。図３において、撮影者の操作により、第１の接続部材８、可動部材１７、液晶モニタ４は回動可能に構成されている。
【００２８】
図４は、図３に示す液晶モニタ４を収納位置から展開する様子を示す外観斜視図であり、
図４（ａ）は液晶モニタ４を９０度展開した状態を示し、図４（ｂ）は収納位置から回転軸８０周りに１８０度展開した展開位置を示している。自撮り撮影では、撮影者は左手でグリップ部１ａを把持し、カメラ１の前面側を自らに向けて、図３に示す状態から右手で液晶モニタ４が＋Ｘ方向を向くように回転軸８０周りに９０度回転させて図４（ａ）に示す状態とする。続いて、撮影者は液晶モニタ４の表示面が背面部１ｂとは反対側の前面側（＋Ｚ方向）を向くように、回転軸８０周りに更に９０度回転して図４（ｂ）に示す状態（展開位置、第２の位置）とする。
【００２９】
可動部材１７は、図３（ｂ）に示すように、収納位置にある液晶モニタ４の回転軸８０に最も近い側面４ａとは反対側の回転軸８０から最も遠い側面４ｂの中央部に固定されている。図３及び図４に示す状態では、可動部材１７は第１の形状（曲がった形状、第１の状態）を有する。可動部材１７が第１の形状を有するときに、液晶モニタ４は、その表示面が収納位置と展開位置を含む回転軸８０の周りの回転位置に第１の接続部材８によって移動可能に可動部材１７に保持される。液晶モニタ４が収納位置と展開位置の間を回転する際には可動部材１７は第１の形状を有して変形しないので展開／収納動作が安定する。また、撮像光学系の光軸と収納位置にあるときの液晶モニタ４の光軸を合わせることができ、収納位置において液晶モニタ４を利用した撮影や被写体の確認が容易になる。
【００３０】
図５は、図４（ｂ）に示す表示ユニットを前面側に移動させた状態を示す外観斜視図であり、図５（ａ）は前面側から、図５（ｂ）は背面側から見た図である。図４(ｂ)に示す状態から、撮影者は、液晶モニタ４を＋Ｚ方向へ前進させ、表示面がレンズ３の先端と略同一平面上に位置するように可動部材１７を伸ばす。その結果、液晶モニタ４は、カメラ１の背面部１ｂから離れ、図５に示す自撮り位置に配置される。このように、撮影者は液晶モニタ４を把持し、回転及び屈曲することによって、収納位置から自撮り位置へと変位させ、その位置を維持することができる。可動部材１７を屈曲させることによって、液晶モニタ４の向きや角度を微調整することができる。
【００３１】
図５に示す状態では、可動部材１７は第２の形状（伸びた形状、第２の状態）を有する。可動部材１７が第２の形状を有するときに、液晶モニタ４は、回転位置から光軸方向（光軸３ａに沿った方向）および光軸方向に直交する方向の少なくとも１つの方向に離れた位置で可動部材１７に保持される。液晶モニタ４が第１の接続部材８（本体部１ｃ）に対して離れたり近づいたりする等、変位（移動）が可能であるので、複数人で自撮り撮影をする際に撮影者は表示ユニットの表示面を見易くなり自撮り撮影が容易になる。以下、図６を参照して、この効果をより詳細に説明する。
【００３２】
図６（ａ）は、バリアングル液晶モニタ１００４を有するカメラ１０００を用いた場合の自撮り撮影の模式図であり、図６（ｂ）は、本実施形態のカメラ１を用いた場合の自撮り撮影の模式図である。Ａ、Ｂ、Ｃはいずれも被写体であり、Ａは撮影者も兼ねている（以下、撮影者Ａ、被写体Ｂ、被写体Ｃと称する）。図中の矢印は、撮影者Ａ、被写体Ｂ、Ｃのそれぞれの、表示面の中心に対する目線を模式的に示している。撮影者Ａ、被写体Ｂ、Ｃは横並びにこの順番で整列し、撮影者Ａはレンズユニット３を介してモニタとは反対側に位置する。被写体全員を画角内に収めるためには、被写体に対して、カメラを所定の角度で構える必要がある。
【００３３】
図６（ａ）に示すように、カメラ１０００で自撮り撮影をしようとする際、撮影者Ａは、レンズユニット１００３に遮られて表示部１０４１の表示面の一部を見ることができず、各被写体の位置、写り方や表情を確認することができず、自撮り撮影が困難になる。
【００３４】
一方、カメラ１では、図６（ｂ）に示すように、液晶モニタ４がレンズ３の先端と略同一平面上に位置しているため、撮影者Ａはレンズユニット３によって表示部４１の表示面を見ることが遮られない。この結果、撮影者Ａは、表示部４１を見ながら被写体の位置、写り方や表情を確認し、自撮り撮影に臨むことができる。自撮り撮影時には、撮影者がグリップ部１ａを左手で把持すると考えられるため、第１の接続部材８をレンズユニット３に関してグリップ部１ａとは反対側に設けており、撮影者は液晶モニタ４によってカメラ１の把持を妨げられない。更に、可動部材１７を屈曲させることによって、液晶モニタ４の向きや角度を微調整することができる。
【００３５】
図７（ａ）は、第１の接続部材８の前面側の斜視図、図７（ｂ）は、第１の接続部材８の前面側の分解斜視図、図７（ｃ）は、第１の接続部材８の背面側の分解斜視図である。第１の接続部材８は、ＰＣ等の樹脂材料や、ステンレス等の金属材料により形成される。第１の接続部材８は、本体に回転可能に固定される円筒形状の軸部８１を含むベース部８ａと、トップ部８ｂ及び第１の接続部８４を有する。
【００３６】
トップ部８ｂはベース部８ａにビスで固定される。軸部８１の上部には、後述するクリック板１６１を固定するためのクリック板取り付け部８２も設けられている。第１の接続部材８の内側には、液晶モニタ４内部の基板（不図示）とカメラ１内部の基板（不図示）とを電気的に接続する細線同軸ケーブル（不図示）を通すための細線溝８３が設けられている。ベース部８ａに細線溝８３ａ、トップ部８ｂに細線溝８３ｂがそれぞれ設けられている。
【００３７】
第１の接続部８４は、軸部８１から−Ｘ方向に延出し、軸部８１からＸ軸とのなす角が斜め下向きとなるように屈曲している。即ち、液晶パネル４が収納位置（第１の位置）から展開位置（第２の位置）にあるときに可動部材１７が弧を形成するように、第１の接続部８４は軸部８１から斜め下方向に延びている。ベース部８ａの内側に第１の固定部８４ａ、トップ部８ｂの内側に第１の固定部８４ｂがそれぞれ設けられ、第１の固定部８４ａと第１の固定部８４ｂは、可動部材１７と所定の隙間を有する。可動部材１７と、第１の固定部８４ａ及び第１の固定部８４ｂの所定の隙間に接着剤を充填し、可動部材１７の一端をはさみこむことで、可動部材１７を第１の接続部材８に固定する。
【００３８】
なお、本実施形態では、ベース部８ａとトップ部８ｂの２体構成としたが、細線溝８３や第１の接続部８４を設けられるのであれば１体構成でもよい。
【００３９】
図８（ａ）は背面側から見た第１の接続部材８周辺の分解斜視図、図８（ｂ）は前面側から見た第１の接続部材８周辺の分解斜視図、図８（ｃ）は＋Ｘ方向から見た第１の接続部材８の回転軸８０に沿ったＹＺ断面図である。
【００４０】
本体部１ｃには、レンズユニット３に関してグリップ部１ａとは反対側に軸部８１を回転可能に保持する第１の軸受け１１０と、第１の接続部材８の回動を展開位置で停止させる停止壁１１１と、を有する。第１の軸受け１１０は、回転軸８０を中心とする半円弧状（弧状あるいは楕円弧状）を有し、軸部８１と嵌合する。停止壁１１１は、カメラ背面カバー１４の開口部（切り欠き）１４３と対応する位置に、自撮り位置にあるときの第１の接続部材８が接するように所定の角度をつけて形成されている。本実施形態では、収納位置を０度、自撮り位置又は展開位置を２２５度とし、停止壁１１１は−Ｘ軸から２２５度の角度を持つ。
【００４１】
カメラ背面カバー１４は、カメラ１の外装に用いられ、ＰＣ等の樹脂材料から形成される。カメラ背面カバー１４は、カメラ背面側からカメラ１へ取り付けられ、ビス（不図示）で固定される。カメラ背面カバー１４は、第１の接続部材８と対応する位置に第１の接続部材８を収納する半円弧状スペース１４２を有する。カメラ背面カバー１４は、半円弧状スペース１４２に収納された第1の接続部材８とは所定の隙間だけ離れている。また、第１の接続部材８が回転したときに第１の接続部８４と干渉しないよう、半円弧状スペース１４２の一部を切り欠いた開口部１４３を有する。
【００４２】
カメラ背面カバー１４の内側には、第１の軸押さえ１４１が、第１の軸受け１１０に対応する位置に設けられ、第１の軸受け１１０と第１の軸押さえ１４１によって第１の接続部材８は挟まれる。回転軸８０を中心とした第１の接続部材８の回転機構が構成され、第１の接続部材８はカメラ１に対して収納位置から展開位置まで回転可能となる。第１の接続部材８が展開位置にまで回転すると停止壁１１１に接し、回転が停止する。
【００４３】
前面側からカメラ背面カバー１４に対して、カメラ１の保護のためのカメラ前面カバー１５を取り付けてもよい。カメラ前面カバー１５は、カメラ背面カバー１４と同一のものから形成される。カメラ前面カバー１５はカメラ背面カバー１４に対してビス（不図示）で固定される。
【００４４】
図９（ａ）はクリック機構（係止機構）１６の背面側の分解斜視図、図９（ｂ）はクリック機構１６が収納されているクリック機構スペース１６０を＋Ｘ方向から見たクリックばね１６２の軸中心に沿ったＹＺ断面図である。
【００４５】
クリック機構スペース１６０は、クリック機構収納部１１２とクリック機構押さえ部１４４を有する。
【００４６】
クリック機構収納部１１２は、第１の軸受け１１０上部に設けられ、クリック板１６１を収納し、回動の妨げとならない凹形状のスペースを有する。また、クリックばね１６２とクリックボール１６３が収納されるＬ字形状のスペースを有する。
【００４７】
クリック機構押さえ部１４４は、カメラ背面カバー１４の第１の軸押さえ１４１上部に設けられる。クリック機構収納部１１２と対応する位置に、クリック板１６１を収納し、回動の妨げとならないスペースを有する。また、クリック機構収納部１１２のクリックばね１６２とクリックボール１６３が収納されるスペースと対応する位置に、クリック機構スペース１６０を形成するための壁を設ける。クリックばね１６２とクリックボール１６３は、クリック機構スペース１６０に収められ、回転軸８０と平行な軸上に配置する。
【００４８】
クリック機構１６は、クリック板１６１、クリックばね１６２及びクリックボール１６３を有する。クリック板１６１は、ＰＯＭ等の樹脂材料から構成され、クリックばね１６２は、一般的なばね鋼材から構成され、クリックボール１６３は鋼球等の金属材料から構成される。クリック板１６１は、第１の接続部材８の上側に設けられたクリック板取り付け部８２にビスで固定され、回転軸８０を中心として第１の接続部材８と同時に回動する。
【００４９】
クリックボール１６３は、クリックばね１６２によってクリック板１６１に付勢されている。クリック板１６１を回転させると、クリックボール１６３がクリック板１６１上を滑る。クリック板１６１に設けられた係止溝１６１ａ、１６１ｂにクリックボール１６３が落ちた際に、係止力によってロックがかかる。クリック板１６１には、第１の接続部材８が収納位置と展開位置のそれぞれにあるときにロックがかかるように係止溝が２箇所設けられている。係止溝１６１ａには、第１の接続部材８が収納位置にあるとき、クリックボール１６３が落ちて係止力がはたらき、第１の接続部材８の回動をロックする。係止溝１６１ｂには、第１の接続部材８が展開位置にあるとき、クリックボール１６３が落ちて係止力がはたらき、第１の接続部材８の回動をロックする。その結果、液晶モニタ４を収納時及び自撮り撮影時の位置に保持することが可能となる。例えば、自撮り撮影時にカメラ１を動かして画角の調整をした場合でも、液晶モニタ４の位置を保持したまま、表示面を見ることができる。
【００５０】
ここで、クリック機構１６において、可動部材１７を含む液晶モニタ４を保持できるだけの十分なトルクが得られることが望ましい。クリック機構１６は、本実施形態において液晶モニタ４の位置を保持するためのロック手段の一例であり、カメラ１や第１の接続部材８にマグネット機構を設ける等、他の構成を採用してもよい。
【００５１】
図１０（ａ）は第２の接続部材９の前面側の斜視図、図１０（ｂ）は第２の接続部材９の前面側の分解斜視図、図１０（ｃ）は第２の接続部材９の背面側の分解斜視図である。
【００５２】
第２の接続部材９は、ステンレス等の金属材料から構成され、プレート部９１を含むベース部９ａと、トップ部９ｂと、を有する。トップ部９ｂはベース部９ａに対してビスで固定される。プレート部９１は、第２の接続部材９を液晶モニタ４内部へ固定する際に用いる。図１（ｂ）に示す収納位置において、第２の接続部材９は、液晶モニタ４に関して第１の接続部材８の反対側に位置している。
【００５３】
第２の接続部材９の内側には、液晶モニタ４内部の基板（不図示）とカメラ１内部の基板（不図示）を電気的に接続する細線同軸ケーブル（不図示）を通すための細線溝９２が設けられている。ベース部９ａに細線溝９２ａ、トップ部９ｂに細線溝９２ｂがそれぞれ設けられている。
【００５４】
また、第２の接続部材９には、可動部材１７を接続するための第２の接続部９３が設けられている。第２の接続部９３は、第２の接続部材９を液晶モニタ４へ固定する際に、液晶モニタ４の短側面と平行な方向（−Ｙ方向）に延出するよう設けられる。即ち、表示ユニットが収納位置から展開位置にあるときに可動部材１７が弧を形成するように、第２の接続部９３は斜め下方向に延びる。ベース部９ａの内側に第２の固定部９３ａ、トップ部９ｂの内側に第２の固定部９３ｂがそれぞれ設けられている。第２の固定部９３ａと第２の固定部９３ｂは、可動部材１７と所定の隙間を有する。可動部材１７と、第２の固定部９３ａ及び第２の固定部９３ｂの隙間に接着剤を充填し、可動部材１７の一端を挟み込むことで、可動部材１７を第２の接続部材９に固定する。
【００５５】
なお、本実施形態ではベース部９ａとトップ部９ｂの２体構成としたが、プレート部９１、内側に細線溝９２や第２の接続部９３を設けられるのであれば１体構成でもよい。
【００５６】
図１１（ａ）は、第２の接続部材９を含む液晶モニタ４の分解斜視図、図１１（ｂ）は、液晶モニタ４と第２の接続部材９の接続部分の拡大斜視図である。
【００５７】
４２はカバーガラスであり、表示部４１を保護する。４３は前面カバーであり、ＰＣ等の樹脂材料から構成される。前面カバー４３には凹部（不図示）が設けられ、表示部４１が収納される。凹部（不図示）を塞ぐように、両面テープ４２１によってカバーガラス４２が表示部４１に接着される。第２の接続部材９のプレート部９１は、前面カバー４３の一端に設けたプレート差し込み部４３１へビス（不図示）で固定される。
【００５８】
４４は背面カバーであり、ＰＣ等の樹脂材料から構成される。背面カバー４４は、前面カバー４３へビス（不図示）により固定される。このとき、第２の接続部材９のプレート部９１も、前面カバー４３と共に固定される。４５は電子部品が実装された制御基板である。制御基板４５は、細線同軸ケーブル（不図示）によって、ＭＰＵ１００と電気的に接続される。細線同軸ケーブル（不図示）は、第２の接続部材９、可動部材１７、第１の接続部材８を通って、カメラ１内の基板（不図示）へ接続される。
【００５９】
図１２は、背面にある液晶モニタ４がチルト状態にある場合の外観斜視図である。例えば、図３に示す収納位置において、撮影者が右手でグリップ部１ａを把持し、左手で液晶モニタ４にかける。表示部４１が−Ｙ方向、すなわち底面側を向くように、可動部材１７と第２の接続部９３の接続部分付近を背面側から底面側に向かって曲げる。その結果、液晶モニタ４を起こし、表示部４１を底面側に向けることができ、レンズ光軸３ａと表示部４１の中心がほぼずれることなく、液晶モニタ４をチルトさせることができる。これによって、自撮り撮影のみではなく、カメラ１を頭上に掲げた状態でも、液晶モニタ４を見ながら撮影することができる。
【００６０】
また、図４（ｂ）に示す展開位置において、可動部材１７は第１の接続部材８と第２の接続部材９との間でカメラ１側面または液晶モニタ４の短側面と平行に、略円弧状に配設される。第１の接続部８４と第２の接続部９３をそれぞれ前述の角度へ延出することにより、可動部材１７が＋Ｘ方向に広がらず、自撮り撮影時のカメラ１がサイズアップせずに済む。
【００６１】
以上説明したように、カメラ１は、表示ユニット（液晶モニタ４）と、回転軸８０の周りに回転可能に本体部１ｃに固定された回転部（第１の接続部材８）と、表示ユニットと回転部に固定され、変形可能な保持部（可動部材１７）と、を有する。保持部が第１の形状を有するときに、表示ユニットは、表示面が本体とは反対側を向いた状態で背面部に収納される収納位置と、収納位置から１８０度回転して表示面が前面側を向く展開位置と、を含む回転軸の周りの回転位置に移動可能に保持部に保持される。収納位置と展開位置との間では保持部の状態は回転部に対して変化しないので展開動作が安定する。また、撮像光学系の光軸と収納位置にあるときの表示ユニットの光軸を合わせることができ、収納位置において表示ユニットを利用した撮影や被写体の確認が容易になる。また、保持部が第２の形状を有するときに、表示ユニットは、回転位置から光軸（３ａ）方向およびこれに直交する方向の少なくとも１つの方向において離れた位置で保持部に保持される。このように、表示ユニットは回転部に対して離れたり近づいたりする等、変位（移動）が可能である。特許文献１は、複数人で自撮り撮影をする際に撮影者がレンズユニットに遮られて表示面の一部を見ることができないおそれがあった。これに対して、本発明は、表示ユニットが回転位置から離れた位置に移動することができるので撮影者は表示ユニットの表示面を見易くなり自撮り撮影が容易になる。
【００６２】
保持部が第２の形状を有するときに、表示ユニットは、表示面が本体の前面側を向いた状態で展開位置よりも前面側、かつ、光軸に近い位置にあってもよい。これにより、撮影者は表示ユニットの表示面をより見易くなり自撮り撮影が容易になる。例えば、保持部が第２の形状を有するときに、表示ユニットは、被写体の光学像を形成するレンズユニット３の先端部の隣（又は横）に表示ユニットの表示面が位置するように移動されてもよい。これにより、複数人で自撮り撮影をする際に撮影者は表示ユニットの表示面（の全面）を（レンズユニットに遮られずに）見ることができので、自撮り撮影が容易になる。複数人で自撮り撮影をする撮影者が表示ユニットの表示面の見易くなる限り移動される表示ユニットの位置は限定されない。表示ユニットをレンズユニットの横に安定して配置する機構（係合部と係合溝や磁石と金属）を設けてもよい。
【００６３】
保持部は、表示ユニットを回転部に対して支持する剛性を有する材料から構成されてもよい。これにより、保持手段と移動手段を別々に設ける必要がなくなるので撮像装置の小型化を図ることができる。なお、剛性を使用する代わりに磁力等他の保持手段を使用してもよい。
【００６４】
回転軸は、被写体の光学像を形成する撮像光学系の光軸３ａに直交してもよい。例えば、回転軸は、本体を横位置に配置した場合の垂直方向でも水平方向でもよい。
【００６５】
表示ユニットが収納位置と展開位置のそれぞれにあるときに表示ユニットを係止する係止手段（クリック機構１６）を更に有してもよい。表示ユニットが収納位置と展開位置のそれぞれで安定するので、それぞれの位置で表示ユニットを利用した撮影や被写体の確認を容易に行うことができる。なお、係止の方法は限定されない。
【００６６】
保持部は、例えば、フレキシブルアームを有する。フレキシブルアームは、屈曲自在であるので表示ユニットを任意の方向に移動できると共に向きや角度を微調整することができる。なお、保持部は、多関節アームやポインタに使用される伸縮自在な構造を有する等、フレキシブルアームに限定されない。保持部は、本体の基板と表示ユニットの基板を電気的に接続するケーブルを有してもよい。これにより、表示ユニットは、本体基板から電源供給と画像やその他の情報を得ることができる。
【００６７】
保持部は、表示ユニットを本体に対してチルト可能（傾け可能）に保持してもよい。これによって、自撮り撮影時の微調整だけでなく、本体を頭上に掲げた状態でも、液晶モニタ４を見ながら撮影することができる。回転軸は、被写体の光学像を形成するレンズユニットに関して、前記本体のグリップ部とは反対側に配置されてもよい。自撮り撮影では、撮影者がグリップ部を左手で把持して本体を横位置に配置し、右手で表示ユニットを操作することが多いため、撮影者が表示ユニットを移動する操作を容易にするである。
【００６８】
回転部は、本体に回転可能に設けられた軸部と、軸部に固定された第１の接続部と、を有し、保持部は、第１の接続部に一端が固定されたフレキシブルアームを有し、保持部は、表示ユニットにフレキシブルアームの他端を固定する第２の接続部を更に有してもよい。但し、この構成は一例である。本体は、第１の接続部が移動する開口（切り欠き部）を有してもよい。これにより、第１の接続部が軸部と共に回転する際に本体と衝突することを防止することができる。
【００６９】
前記表示ユニットが前記収納位置にあるときに前記フレキシブルアームの一部は前記表示ユニットと前記本体との間に配置されてもよい。これにより、表示面がフレキシブルアームによって遮られないので、収納位置で表示ユニットを利用した撮影や被写体確認を容易に行うことができる。
【００７０】
また、前記表示ユニットが前記収納位置にあるときに前記第１の接続部と前記第２の接続部の間に前記表示ユニットが配置されてもよい。これにより、第１の接続部と第２の接続部が表示ユニットの同じ側にある場合よりもフレキシブルアームが本体から張り出す量が少なくなり、撮像装置が小型になる。また、表示ユニットをレンズユニットの隣に配置したときに（レンズユニットと表示ユニットの間に第２の接続部がないので）表示ユニットをレンズユニットにより近づけることができる。
【００７１】
前記表示ユニットが前記収納位置にあるときに前記フレキシブルアームが弧を形成するように、前記第１の接続部と前記第２の接続部はそれぞれ前記本体を横位置に配置された場合の斜め下方向に延びていてもよい。これにより、フレキシブルアームが水平方向に広がらず、本体を小型にすることができる。また、本体は、表示ユニットが第２の位置にあるときに第１の接続部と接触して表示ユニットの回転を停止する停止壁１１１を有してもよい。停止壁により、表示ユニットの回転を規制することができる。
【００７２】
また、本発明は、画像を表示する表示ユニット及び回転軸の周りに回転可能に本体に固定された回転部に固定され、変形可能な保持部を提供する。保持部が第１の形状を有するときに、表示ユニットは収納位置と展開位置を含む前記回転軸の周りの回転位置に移動可能に前記保持部に保持される。保持部が第２の形状を有するときに、表示ユニットは、回転位置から光軸方向および光軸方向に直交する方向の少なくとも１つの方向において離れた位置で保持部に保持される。本発明の保持部は撮像装置以外にも適用可能である。
【００７３】
本発明は、レンズ交換型撮像装置やレンズ一体型撮像装置に適用可能である。また、撮像装置は、一眼レフカメラだけでなく所謂ミラーレス（ノンリフレックス型）カメラにも適用可能である。また、本発明は、デジタルスチルカメラだけでなくデジタルビデオカメラにも適用可能である。
【００７４】
以上、本発明の好ましい実施例について説明したが、本発明はこれらの実施例に限定されず、その要旨の範囲内で種々の変形及び変更が可能である。
【産業上の利用可能性】
【００７５】
本発明は、デジタルカメラ等の撮像装置に適用することができる。
【符号の説明】
【００７６】
１…カメラ（撮像装置）、１ａ…グリップ部、１ｃ…本体部、３…レンズユニット、４…液晶モニタ（表示ユニット）、８…第１の接続部材（回転部）、１６…クリック機構（係止手段）、１７…可動部材（保持部）、８０…回転軸、８４…第１の接続部、９４…第２の接続部
【図１】
2020027178.tif 000003
【図２】
2020027178.tif 000004
【図３】
2020027178.tif 000005
【図４】
2020027178.tif 000006
【図５】
2020027178.tif 000007
【図６】
2020027178.tif 000008
【図７】
2020027178.tif 000009
【図８】
2020027178.tif 000010
【図９】
2020027178.tif 000011
【図１０】
2020027178.tif 000012
【図１１】
2020027178.tif 000013
【図１２】
2020027178.tif 000014